(57)【要約】【課題】日付表示コマを剥がしていくと徐々に画像が現れる日めくりカレンダーを提供する。【解決手段】本実施形態に係る日めくりカレンダーは、第１シートと第２シートとが剥離可能に貼り合わされた日めくりカレンダーであって、第１シートは、所定領域が切込みによって複数のコマに分割され、各コマに日付数字が印字されており、前記第２シートには画像が形成されており、前記画像は、前記第１シートの前記所定領域によって覆われている。【選択図】図１
2020049822.tif 000002
【特許請求の範囲】
【請求項１】
第１シートと第２シートとが剥離可能に貼り合わされた日めくりカレンダーであって、
前記第１シートは、所定領域が切込みによって複数のコマに分割され、各コマに日付数字が印字されており、
前記第２シートには画像が形成されており、前記画像は、前記第１シートの前記所定領域によって覆われていることを特徴とする日めくりカレンダー。
【請求項２】
前記第２シートは、透明基材と、前記透明基材の前記第１シートとは反対側の面に設けられた受像層とを有し、前記受像層に前記画像が形成されていることを特徴とする請求項１に記載の日めくりカレンダー。
【請求項３】
前記受像層を覆う隠蔽層が設けられていることを特徴とする請求項２に記載の日めくりカレンダー。
【請求項４】
前記第１シートには、前記第２シートから剥がしたコマを日付順に貼り付ける領域が設けられていることを特徴とする請求項１乃至３のいずれか１項に記載の日めくりカレンダー。
【請求項５】
前記切込みは格子状に形成されており、各コマには日付数字がランダムに印字されていることを特徴とする請求項４に記載の日めくりカレンダー。
【請求項６】
複数の画像テーマに対応する画像データを記憶するサーバ装置と、
画像テーマの選択を受け付ける注文受付端末と、
一方の面にシートが剥離可能に設けられた透明基材の他方の面に設けられた受像層に画像を形成するプリンタと、
を備え、
前記シートは所定領域が切込みによって複数のコマに分割され、各コマに日付数字が印字されており、
前記注文受付端末は、選択された画像テーマを前記サーバ装置に通知し、
前記サーバ装置は、通知された画像テーマに対応する画像データを前記プリンタへ送信し、
前記プリンタは、前記サーバ装置から受信した画像データに基づいて前記受像層に画像を形成し、画像が形成された前記受像層上に隠蔽層を転写することを特徴とする日めくりカレンダー製造システム。
【請求項７】
複数の画像テーマに対応する画像データを記憶するサーバ装置と、
画像テーマの選択を受け付ける注文受付端末と、
支持体の一方の面に転写層が剥離可能に設けられた中間転写媒体の前記転写層に画像を形成し、前記中間転写媒体を加熱して、画像が形成された転写層を被転写体に転写するプリンタと、
を備え、
前記被転写体は、透明基材と、前記透明基材の一方の面に剥離可能に設けられたシートとを有し、前記シートは所定領域が切込みによって複数のコマに分割され、各コマに日付数字が印字されており、
前記注文受付端末は、選択された画像テーマを前記サーバ装置に通知し、
前記サーバ装置は、通知された画像テーマに対応する画像データを前記プリンタへ送信し、
前記中間転写媒体の転写層は、隠蔽層と受像層とを有し、
前記プリンタは、前記サーバ装置から受信した画像データに基づいて前記受像層に画像を形成し、画像が形成された前記転写層を前記透明基材の他方の面に転写することを特徴とする日めくりカレンダー製造システム。
【発明の詳細な説明】
【技術分野】
【０００１】
本発明は、日めくりカレンダー及び日めくりカレンダー製造システムに関する。
【背景技術】
【０００２】
先頭位置にあるカレンダー用紙を１日ごとにめくって剥ぎ取る日めくりカレンダーが利用されている。各カレンダー用紙には、日付以外に、格言や歴史的な出来事が記載されている。
【０００３】
また、カレンダーの日付部分を１日毎の小片にして毎日めくって剥がせるようにシール貼りしたカレンダーが知られている。特許文献１には、日付部分を剥がすと、易断、星占い等の運勢情報や格言等の固有メッセージが表出する日めくりカレンダーが開示されている。
【０００４】
このように、従来の日めくりカレンダーは、１日単位で楽しむように構成されていた。
【先行技術文献】
【特許文献】
【０００５】
【特許文献１】特開２００６−１２３３６９号公報
【発明の概要】
【発明が解決しようとする課題】
【０００６】
本発明は、日付表示コマを剥がしていくと徐々に画像が現れる日めくりカレンダー及び日めくりカレンダー製造システムを提供することを課題とする。
【課題を解決するための手段】
【０００７】
本発明による日めくりカレンダーは、第１シートと第２シートとが剥離可能に貼り合わされた日めくりカレンダーであって、前記第１シートは、所定領域が切込みによって複数のコマに分割され、各コマに日付数字が印字されており、前記第２シートには画像が形成されており、前記画像は、前記第１シートの前記所定領域によって覆われているものである。
【０００８】
本発明の一態様では、前記第２シートは、透明基材と、前記透明基材の前記第１シートとは反対側の面に設けられた受像層とを有し、前記受像層に前記画像が形成されている。
【０００９】
本発明の一態様では、前記第２受像層を覆う隠蔽層が設けられている。
【００１０】
本発明の一態様では、前記第１シートには、前記第２シートから剥がしたコマを日付順に貼り付ける領域が設けられている。
【００１１】
本発明の一態様では、前記切込みは格子状に形成されており、各コマには日付数字がランダムに印字されている。
【００１２】
本発明による日めくりカレンダー製造システムは、複数の画像テーマに対応する画像データを記憶するサーバ装置と、画像テーマの選択を受け付ける注文受付端末と、一方の面にシートが剥離可能に設けられた透明基材の他方の面に設けられた受像層に画像を形成するプリンタと、を備え、前記シートは所定領域が切込みによって複数のコマに分割され、各コマに日付数字が印字されており、前記注文受付端末は、選択された画像テーマを前記サーバ装置に通知し、前記サーバ装置は、通知された画像テーマに対応する画像データを前記プリンタへ送信し、前記プリンタは、前記サーバ装置から受信した画像データに基づいて前記受像層に画像を形成し、画像が形成された前記受像層上に隠蔽層を転写するものである。
【００１３】
本発明による日めくりカレンダー製造システムは、複数の画像テーマに対応する画像データを記憶するサーバ装置と、画像テーマの選択を受け付ける注文受付端末と、支持体の一方の面に転写層が剥離可能に設けられた中間転写媒体の前記転写層に画像を形成し、前記中間転写媒体を加熱して、画像が形成された転写層を被転写体に転写するプリンタと、を備え、前記被転写体は、透明基材と、前記透明基材の一方の面に剥離可能に設けられたシートとを有し、前記シートは所定領域が切込みによって複数のコマに分割され、各コマに日付数字が印字されており、前記注文受付端末は、選択された画像テーマを前記サーバ装置に通知し、前記サーバ装置は、通知された画像テーマに対応する画像データを前記プリンタへ送信し、前記中間転写媒体の転写層は、隠蔽層と受像層とを有し、前記プリンタは、前記サーバ装置から受信した画像データに基づいて前記受像層に画像を形成し、画像が形成された前記転写層を前記透明基材の他方の面に転写するものである。
【発明の効果】
【００１４】
本発明によれば、日付表示コマを剥がしていくと徐々に画像が現れるため、どのような画像か期待しながら毎日コマめくりを楽しむことができる。
【図面の簡単な説明】
【００１５】
【図１】（ａ）〜（ｃ）は本発明の実施形態に係る日めくりカレンダーの概略図である。
【図２】（ａ）は図１のIIa-IIa線断面図であり、（ｂ）は図１のIIb-IIb線断面図であり、（ｃ）は図１のIIc-IIc線断面図である。
【図３】同実施形態に係る日めくりカレンダー製造システムの概略図である。
【図４】画像テーマ選択画面の例を示す図である。
【図５】プリンタの概略構成図である。
【図６】（ａ）は中間転写媒体の断面図であり、（ｂ）は被転写体の断面図である。
【図７】カレンダーの販売形態の一例を示す図である。
【図８】別の実施形態に係る日めくりカレンダーの概略図である。
【図９】別の実施形態に係る日めくりカレンダーの概略図である。
【図１０】別の実施形態に係る日めくりカレンダーの概略図である。
【図１１】別の実施形態に係る日めくりカレンダーの概略図である。
【発明を実施するための形態】
【００１６】
以下、本発明の実施の形態を図面に基づいて説明する。
【００１７】
図１（ａ）〜（ｃ）は本発明の実施形態に係る日めくりカレンダー１の平面図であり、図２（ａ）〜（ｃ）は日めくりカレンダー１の断面図である。日めくりカレンダー１は、１枚目のシートＳ１と２枚目のシートＳ２とが剥離可能に接着剤（粘着剤）で貼り合わされたものである。
【００１８】
シートＳ１に、日めくりカレンダー１の月日や曜日を示す玉部が印刷されており、玉部は格子状の切込み３により複数のコマ２に分割されている。例えば、１つのコマ２が１日に相当するように、玉部は、横方向に７個、縦方向に６個のコマ２が並ぶように分割される。コマ２には日付数字が印刷されている。日付数字等が印刷されていないブランクのコマ２があってもよい。
【００１９】
切込み３は押し型によってハーフカット状に形成され、シートＳ１のコマ２が１個ずつシートＳ２から剥がせるようになっている。シートＳ２のうち、コマ２に覆われている部分には、シークレット画像Ｇが形成されている。
【００２０】
図２（ａ）〜（ｃ）に示すように、日めくりカレンダー１は、透明基材１０と、透明基材１０の一方の面に順に積層された離型層１１、粘着層１２、基材１３及び第１受像層１４を有する。透明基材１０の他方の面には、第２受像層１５及び隠蔽層１６が積層されている。粘着層１２、基材１３及び第１受像層１４がシートＳ１を構成し、透明基材１０、離型層１１、第２受像層１５及び隠蔽層１６がシートＳ２を構成する。
【００２１】
第１受像層１４にカレンダーの日付画像等が形成される。第２受像層１５にシークレット画像Ｇが形成される。シークレット画像Ｇは、隠蔽層１６により、日めくりカレンダー１の他方の面側から見えないようになっている。切込み３は、第１受像層１４から離型層１１の表面に達するように形成される。
【００２２】
シークレット画像Ｇは、図１（ａ）、図２（ａ）に示すように、シートＳ１のコマ２に覆われている状態では、日めくりカレンダー１の両面側から見えなくなっている。そのため、顧客には、コマ２の下に形成されている画像が分からなくなっている。
【００２３】
図１（ｂ）、図２（ｂ）に示すように、コマ２を剥がした部分では、透明基材１０を介して、シークレット画像Ｇが見えるようになる。従って、コマ２を１個ずつ剥がしていくと、シークレット画像Ｇが徐々に現れる。
【００２４】
図１（ｃ）、図２（ｃ）に示すように、全てのコマ２を剥がすと、シークレット画像Ｇの全体が現れる。
【００２５】
このように、顧客は、どのような画像が現れるか期待しながら、毎日１コマずつ剥がし、日めくりカレンダー１を楽しむことができる。
【００２６】
日めくりカレンダー１の透明基材１０の材料としては、ポリエチレンテレフタレートフィルムやポリプロピレンフィルム等が挙げられる。離型層１１の材料としては、シリコン離型剤やフッ素系離型剤等が挙げられる。粘着層１２の材料としては、アクリル系粘着剤やシリコン系粘着剤等が挙げられる。基材１３の材料としては、ボイド含有ポリエチレンテレフタレートフィルムやボイド含有ポリプロピレンフィルム等が挙げられる。
【００２７】
第１受像層１４及び第２受像層１５の材料としては、アクリル樹脂や塩化ビニル‐酢酸ビニル共重合体等が挙げられる。隠蔽層１６の材料としては、酸化チタンやシリカを主に含有する白色隠蔽層や、アルミ蒸着転写等によって形成される銀色隠蔽層等が挙げられる。
【００２８】
次に、日めくりカレンダー１を製造する日めくりカレンダー製造システムについて説明する。図３に示すように、日めくりカレンダー製造システムは、注文受付端末４、サーバ装置５及びプリンタ６を備える。
【００２９】
注文受付端末４は、顧客から日めくりカレンダー１の注文を受け付けるものであり、例えば、シークレット画像として印刷する画像テーマの選択を受け付ける。例えば、図４に示すような画像テーマ選択画面を表示し、顧客が画像テーマを選択する。
【００３０】
画像テーマ選択画面では、各画像テーマの簡単な説明と、イメージ画像が表示される。日めくりカレンダー１に印刷されるシークレット画像は、コマ２を剥がして初めて分かるものとする必要があるため、画像テーマ選択画面では類似のイメージ画像を表示する。画像テーマは、例えば、自然の四季写真、都会の四季写真、アフリカの動物写真、小動物の写真、アニメ、漫画、邦画、洋画等である。
【００３１】
注文受付端末４は、顧客が選択した画像テーマの情報をサーバ装置５に通知する。サーバ装置５は、画像テーマ毎に、１月〜１２月に対応する１２枚の画像データを保存している。サーバ装置５は、注文受付端末４から通知された画像テーマに対応する画像データをプリンタ６へ送信する。
【００３２】
図５はプリンタ６の概略構成図である。図５に示すように、プリンタ６は、熱転写シート６１を用いて、中間転写媒体２０に設けられた第２受像層１５（図６（ａ）参照）に画像を印画する印画部６０と、中間転写媒体２０の転写層を被転写体３０上に転写する転写部８０とを備える。また、プリンタ６は、各部の動作を制御する制御部Ｃを備える。
【００３３】
図６（ａ）に示すように、中間転写媒体２０は、支持体２１と、支持体２１の一方の面上に設けられた転写層とを備えている。転写層は、支持体２１側から順に積層された隠蔽層１６及び第２受像層１５を有する。隠蔽層１６と支持体２１との間に離型層が設けられていてもよい。
【００３４】
熱転写シート６１は、基材上にイエロー染料、マゼンタ染料、シアン染料等の色材を含有する色材層が面順次に設けられた従来公知のものを用いることができる。
【００３５】
プリンタ６の供給部７０には、中間転写媒体２０をリボン状に巻き取った巻取が装填される。供給部７０は、中間転写媒体２０の巻取を回転させ、中間転写媒体２０を長尺帯状で印画部６０及び転写部８０へ順に搬送する
【００３６】
印画部６０は、サーマルヘッド６４と、サーマルヘッド６４の下方側に設けられた回転駆動自在なプラテンロール６５と、サーマルヘッド６４をプラテンロール６５に対して昇降自在とさせる昇降手段（図示略）を有する。供給部７０から供給された中間転写媒体２０は、サーマルヘッド６４とプラテンロール６５との間を通過するようになっている。
【００３７】
また、印画部６０では、熱転写シート６１が、供給ロール６２側からガイドロールを経由して、サーマルヘッド６４とプラテンロール６５との間を通り、ガイドロールを経由して、巻取りロール６３に巻き取られるようになっている。サーマルヘッド６４とプラテンロール６５との間において、熱転写シート６１の色材層と、中間転写媒体２０の第２受像層１５とが対向するようになっている。
【００３８】
サーマルヘッド６４は、熱転写シート６１の基材側から色材層を加熱し、中間転写媒体２０の第２受像層１５に色材を転写して、画像を形成する。制御部Ｃは、サーバ装置５から受信した画像データに基づいて画像が形成されるように、印画部６０を制御する。これにより、中間転写媒体２０の第２受像層１５には、１月〜１２月のシークレット画像が順に形成される。
【００３９】
印画部６０において第２受像層１５にシークレット画像が形成された中間転写媒体２０は、ガイドロール７２を経由して転写部８０へ搬送される。
【００４０】
転写部８０は、ヒートローラ８１と、ヒートローラ８１の下方に設けられた加圧ロール８２とを備える。転写部８０は、被転写体供給部３２から供給された被転写体３０へ、中間転写媒体２０の転写層を転写する。
【００４１】
図６（ｂ）に示すように、被転写体３０は、透明基材１０と、透明基材１０の一方の面に順に積層された離型層１１、粘着層１２、基材１３及び第１受像層１４を有する。第１受像層１４には、日付数字等の画像が予め形成されている。また、第１受像層１４から離型層１１の表面に達する切込み３が形成されている。１月〜１２月の日付数字がコマ２に印字された１２枚の被転写体３０が被転写体供給部３２に順に積層して載置されている。
【００４２】
被転写体供給部３２は、中間転写媒体２０の搬送に合わせて枚葉状の被転写体３０を１枚ずつ繰り出す繰り出し装置、及び繰り出した被転写体３０を搬送するコンベア装置等を有する。例えば、被転写体供給部３２は、中間転写媒体２０の第２受像層１５に１月のシークレット画像が形成された部分が搬送されてくると、１月の日付が形成された被転写体３０を繰り出す。
【００４３】
転写部８０は、ヒートローラ８１と加圧ロール８２との間で、シークレット画像が形成された中間転写媒体２０の第２受容層１５面を、被転写体３０の透明基材１０の他方の面と重ね合わせて加熱する。これにより、第２受容層１５及び隠蔽層１６を含む転写層が被転写体３０に転写される。
【００４４】
シークレット画像が形成された被転写体３０（日めくりカレンダー１）は、排出部３４へ搬送され、１枚ずつ集積される。転写層を転写した後の中間転写媒体２０は、巻取りロール７１に巻き取られる。
【００４５】
このようにして、図２（ａ）に示すような日めくりカレンダー１を製造することができる。
【００４６】
図７は、日めくりカレンダー１の販売態様の別の例を示す。表面に画像テーマの説明文、裏面にプロダクトコードを記載した表紙９０と、１月〜１２月の日付数字が形成された１２枚の被転写体３０を透明の袋９４に封入して店頭で販売する。顧客は、説明文を読み、気に入った画像テーマの袋９４を店舗レジへ持っていき、料金を支払う。
【００４７】
料金支払い後、顧客（又は店員）は、袋９４を開封して表紙９０を取り出し、店頭の端末を操作して、表紙９０の裏面に記載されたプロダクトコードを入力する。端末は入力されたプロダクトコードをサーバ装置に通知する。
【００４８】
サーバ装置は、プロダクトコードと、画像テーマとを対応付けたテーブルを保存している。サーバ装置はテーブルを参照し、通知されたプロダクトコードに対応する画像テーマの画像データをプリンタへ送信する。
【００４９】
また、サーバ装置は、画像データの送信後、このプロダクトコードに使用済みのフラグを立てる。
【００５０】
顧客（又は店員）は、袋９４から取り出した被転写体３０をプリンタにセットする。プリンタは、被転写体３０がセットされ、サーバ装置から画像データを受信するとプリント処理を開始する。このようにして、１２ヶ月分の日めくりカレンダー１を製造することができる。
【００５１】
日付数字を印字したコマ２は日付順に横方向に並べる構成に限定されず、縦方向でもよいし、縦方向と横方向を任意に組み合わせてもよい。また、図８に示すように、日付数字がコマ２にランダムに印字されていてもよい。この場合、シークレット画像は、日を追うごとに少しずつランダムに現れる。剥がしたコマ２を日付順に貼り付ける貼り付け部１００がシートＳ１に設けられていてもよい。図９に示すように、剥がしたコマ２を貼り付ける貼り付け部１０２がシートＳ１の周縁部に沿って日付順に１列に配置されていてもよい。
【００５２】
図１０に示すように、全てのコマ２を剥がしてシークレット画像が現れた前月分の日めくりカレンダー１Ａと、今月分の日めくりカレンダー１Ｂとを並べて支持するカレンダーホルダーＨを備えていてもよい。
【００５３】
上記実施形態では、１年（１２ヶ月）分の日めくりカレンダー１を製造する例について説明したが、１ヶ月分、２ヶ月分、３ヶ月分、６ヶ月分など、顧客が選択できるようにしてもよい。
【００５４】
上記実施形態では、予め日付数字が印字された被転写体３０にシークレット画像を転写する例について説明したが、顧客からの注文を受け付けてから日付数字を印字してもよい。この場合、全てのコマ２がブランクになっている被転写体３０を事前に準備しておく。顧客からの注文を受け付けると、プリンタ６とは別のプリンタで、顧客が指定した日付から始まる日付数字をコマ２に印字する。その後、プリンタ６でシークレット画像を転写して日めくりカレンダーを製造する。
【００５５】
これにより、図１１に示すような、月の途中から始まる日めくりカレンダー１Ｃを製造できる。月の途中で日めくりカレンダーを購入した顧客は、購入した日からコマ２を１個ずつ剥がすことができるため、今月分の途中まで一遍に複数のコマ２を剥がしたり、来月まで待ったりする必要がない。
【００５６】
上記実施形態では、１個のコマ２に１つの日付数字を印字していたが、１コマに複数の日付数字を印字してもよい。例えば、７日分の日付数字を印字したコマは、ストライプ状になる。
【００５７】
上記実施形態では、中間転写媒体２０から隠蔽層１６及び第２受像層１５を透明基材１０に転写する例について説明したが、日めくりカレンダーの製造方法はこれに限定されない。例えば、透明基材１０の一方の面に離型層１１、粘着層１２、基材１３及び第１受像層１４が順に積層され、他方の面に第２受像層１５が積層されたカレンダー用紙（被転写体）を準備する。プリンタは、カレンダー用紙の第２受像層１５に画像を印画する印画部と、第２受像層１５上に隠蔽層１６を転写する転写部とを備える。印画部がシークレット画像を第２受像層１５に印画する。
【００５８】
また、カレンダー用紙の両面に印画が可能な両面プリンタを使用して、第１受像層１４に日付数字を印画し、第２受像層１５にシークレット画像を印画し、シークレット画像の印画後に、転写部が第２受像層１５上に隠蔽層１６を転写してもよい。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６０】
１  日めくりカレンダー
２  コマ
３  切込み
４  注文受付端末
５  サーバ装置
６  プリンタ
【図１】
2020049822.tif 000003
【図２】
2020049822.tif 000004
【図３】
2020049822.tif 000005
【図４】
2020049822.tif 000006
【図５】
2020049822.tif 000007
【図６】
2020049822.tif 000008
【図７】
2020049822.tif 000009
【図８】
2020049822.tif 000010
【図９】
2020049822.tif 000011
【図１０】
2020049822.tif 000012
【図１１】
2020049822.tif 000013